(57)【要約】【課題】  仮留め及び本留めのいずれにおいても外観が良く、仮留めが容易にできると共に切り込み端が裂けるのを防止できる封筒を提供する。【解決手段】本発明に係る封筒１において、表面部３と、表面部の裏面側で左右に各々設けた側部５と、表面部の裏面側で下側に設けた下側閉部７と、表面部の裏面側で上側に設けた閉封部９とを備えた封筒１において、左右の側部５の対向縁５ａには各々左右方向の切り込み１１を形成してあり、下側閉部７の上端部７ｃは切り込み１１を覆い且つ切り込み１１よりも下側を左右の側部５に糊付けしてあり、閉封部９はその先端部９ｂを切り込み１１から封入空間内Ｓに挿入することで仮留めしてある。【選択図】図１
2016043935.tif 000002
【特許請求の範囲】
【請求項１】
表面部と、表面部の裏面側で左右に各々設けた側部と、表面部の裏面側で下側に設けた下側閉部と、表面部の裏面側で上側に設けた閉封部とを備え、下側閉部は上端部が左右の側部の上下方向中間部に位置して、下側閉部を左右の側部に重ねて封入空間を形成すると共に下側閉部の上側に封入口を形成してあり、閉封部で封入口を閉じる封筒において、
左右の側部の対向縁には各々左右方向の切り込みを形成してあり、下側閉部の上端部は前記切り込みを覆い且つ前記切り込みよりも下側を左右の側部に糊付けしてあり、閉封部はその先端部を前記切り込みから封入空間内に挿入して左右の側部及び下側閉部に重ねることで仮留めすることを特徴とする封筒。
【請求項２】
左右の切り込みは、左右の側部の対向縁側を開いたＶ字形状としてあることを特徴とする請求項１に記載の封筒。
【請求項３】
閉封部は左右縁が各々凹状の曲線を成して左右の巾寸法を先端側ほど小さくしてあり且つ先端部の巾寸法は左右の切り込み端間の寸法と以下にしてあることを特徴とする請求項２に記載の封筒。
【発明の詳細な説明】
【技術分野】
【０００１】
本発明は、仮留め可能な封筒に関する。
【背景技術】
【０００２】
特許文献１には、略同一の四角形状の表面部と裏面部とで封入空間を形成すると共に、表面部の上側に設けた閉封部で封入口を閉じる封筒が開示されている。
この特許文献１の封筒では、裏面部に左右方向の切り込みを形成してあり、閉封部の先端を切り込みから封入空間内に差し込んで封入口を仮留めしている（従来技術１）。
また、特許文献１の封筒には、切り込みの左右寸法を閉封部の先端の左右寸法よりも小さくして、閉封部を切り込みに差し込むときには閉封部の左右側を折畳んで左右寸法を切り込みの左右寸法よりも小さくし、切り込みに差し込むことで仮留めし、左右の折畳み部を開いて切り込みを覆って裏面部に固着することで封（本留め）をすることが開示されている（従来技術２）。
【先行技術文献】
【特許文献】
【０００３】
【特許文献１】特開２００７−９９３９０号公報
【発明の概要】
【発明が解決しようとする課題】
【０００４】
しかし、従来技術１及び２では、仮留めした状態で、切り込みが露出するので外観を損なうという問題がある。
また、仮留めした状態で、封入部を差し込むために切り込みを開こうとすると切り込みの左右端に集中する力が作用して切り込みの左右端が裂けるおそれがある。同様に、封筒を配達しているとき等にも、裏面部に外力が作用すると、切り込み付近に作用する力に逃げ場がないから、切り込みの左右端が裂けるおそれがある。
また、従来技術２では、封をした状態において、仮留めしたときに閉封部を折った跡が残るので外観を阻害するという問題がある。
【０００５】
そこで、本発明は、仮留め及び本留めのいずれにおいても外観が良く、仮留めが容易にできると共に切り込み端が裂けるのを防止できる封筒の提供を目的とする。
【課題を解決するための手段】
【０００６】
請求項１に記載された発明は、表面部と、表面部の裏面側で左右に各々設けた側部と、表面部の裏面側で下側に設けた下側閉部と、表面部の裏面側で上側に設けた閉封部とを備え、下側閉部は上端部が左右の側部の上下方向中間部に位置して、下側閉部を左右の側部に重ねて封入空間を形成すると共に下側閉部の上側に封入口を形成してあり、閉封部で封入口を閉じる封筒において、左右の側部の対向縁には各々左右方向の切り込みを形成してあり、下側閉部の上端部は前記切り込みを覆い且つ前記切り込みよりも下側を左右の側部に糊付けしてあり、閉封部はその先端部を前記切り込みから封入空間内に挿入して左右の側部及び下側閉部に重ねることで仮留めすることを特徴とする封筒である。
【０００７】
請求項２に記載された発明は、請求項１に記載の発明において、左右の切り込みは、左右の側部の対向縁側を開いたＶ字形状としてあることを特徴とする。
【０００８】
請求項３に記載された発明は、請求項１に記載の発明において、閉封部は左右縁が各々凹状の曲線を成して左右の巾寸法を先端側ほど小さくしてあり且つ先端部の巾寸法は左右の切り込み端間の寸法と以下にしてあることを特徴とする。
【発明の効果】
【０００９】
請求項１に記載の発明によれば、左右の側部に形成した切り込みは、下側閉部の上端部で覆っているので、仮留め時及び本留め時に切り込みが外から見えないので、外観が良い。
切り込みは左右の側部の各対向縁に形成しており、従来技術のように切り込みが裏面部の左右に連続していないので、切り込みを広げようとしたときに、切り込み部分は、その上側と下側とが容易に変形して力を逃すことができるから、切り込み端に外力が集中するのを防止できる。即ち、従来技術では、切り込みは左右に連続して左右側に切り込み端を有しているので、切り込みを広げる力が作用すると切り込みの周囲部分が変形し難いから切り込み端に外力が集中して裂けやすいのである。
また、切り込みは左右の側部の各対向縁に形成しているので、切り込みの上縁と下縁とを互いにずらすことで、切り込みを容易に広げることができるので、仮留めが容易にできる。
【００１０】
請求項２に記載の発明によれば、請求項１に記載の発明と同様な効果を奏すると共に、切り込みをＶ字形状とすることにより、閉封部の挿入口を広く取ることができ、閉封部を切り込みに挿入し易い。
【００１１】
請求項３に記載の発明によれば、請求項１に記載の発明と同様な効果を奏すると共に、閉封部の先端を左右の切り込みに容易に挿入できる。
【図面の簡単な説明】
【００１２】
【図１】本発明の第１実施の形態に係る封筒において、閉封部を展開して封入口を開いた状態を裏面側から見た平面図である。
【図２】本発明の第１実施の形態に係る封筒において、仮留め状態を裏面側から見た平面図である。
【図３】本発明の第１実施の形態に係る封筒の展開図である。
【図４】本発明の第１実施の形態に係る封筒において、仮留めの仕方を説明する斜視図である。
【図５】本発明の第２実施の形態に係る封筒において、閉封部を展開して封入口を開いた状態を裏面側から見た平面図である。
【発明を実施するための形態】
【００１３】
以下に、添付図面を参照して、本発明の実施の形態を詳細に説明する。まず、図１〜図４を参照して本発明の第１実施の形態を説明する。尚、図１及び図３において、一点鎖線のハッチで示すのは糊代である。
図１及び図３に示すように、第１実施の形態に係る封筒１は、いわゆるカマス型封筒であり、表面部３と、表面部３の裏面側で左右に各々設けた側部５と、表面部３の裏面側で下側に設けた下側閉部７と、表面部３の裏面側で上側に設けた閉封部９とを備えている。
表面部３は平面視で四角形状を成しており、四角形の周辺３ａを折目にして、左右の側部５、下側閉部７を表面部３の裏面に重ねるように折り畳んで封入空間Ｓ及び封入口Ｋを形成している。
図１に示すように、左右の側部５は、互いに対向すると共に間隔をあけて設けてある。各側部の対向縁５ａは、対向側に向けて凸状の曲線に形成している。対向縁５ａの上下方向中間位置よりも上側に各々切り込み１１が形成されている。
図３に示すように、切り込み１１は対向縁５ａから表面部３の周辺３ａ側へ向けて形成しており、切り込み寸法Ｈはその位置における側部５の巾Ｍに対して略半分である。また、本実施の形態では、切り込み１１の上縁１１ａは水平であり、下縁１１ｂは対向縁側を下に向けて傾斜しており、切り込み１１全体として平面視Ｖ字形状を成している。
図１に示すように、下側閉部７は、左右縁７ａが上下方向で凹状の湾曲形状を成しており、左右巾Ｅを上側ほど狭めていると共に左右縁７ａに対応する左右の側部５に重ねた重なり部１３を形成している。本実施の形態では、左右縁７ａは、半径Ｒの円弧である。
重なり部１３は、一点鎖線のハッチで示すように、切り込み１１に対応する上端部７ｃを除いて側部に接着する糊代Ｆになっている。
下側閉部７の上縁７ｂは、切り込み１１よりも上側に位置しており、下側閉部７の上端部７ｃで切り込み１１を覆っている。尚、上述したように切り込み１１に対応する位置にある上端部７ｃは側部５に接着していない。
尚、封入口Ｋは、表面部３の上側周辺３ａと、左右の側部５の対向縁５ａと、下側閉部７の上縁７ｂとで囲まれた部分である。
【００１４】
閉封部９は、下側閉部７と略同じ形状を成し、左右縁９ａは下側閉部７と同じ半径Ｒの凹状曲線としてあり、図２に示すように、仮留め及び本留めしたときに、左右縁９ａが下側閉部７の左右縁７ａと連続した円弧を形成するようにしてある。
即ち、閉封部９は左右縁９ａが各々凹状の曲線を成して左右の巾寸法を先端側ほど小さくしてあり且つ先端部９ｂの巾寸法Ｗ１は左右の切り込み端１１ｃ、１１ｃ間の寸法Ｇと略同じかそれよりも僅かに小さくしてある。
尚、先端部９ｂでは左右縁９ａは直線としてあり、先端部９ｂにおける巾寸法Ｗ１は一定になっている。
【００１５】
次に、第１実施の形態にかかる封筒１の組立て、仮留め及び作用効果について説明する。
封筒１の作成は、図３に示すように、展開シート１５において、左右の側部５には、その縁５ａに各々Ｖ字形状の切り込み１１を形成して、下側閉部７の上端部７ｃを残して糊代Ｆに糊を付けて、側部５を表面部３の裏面に重ねるように折り込んで左右の側部５に重ねて、左右の側部５に接着する。これにより、図１に示す封筒１を作成する。
仮留めは、図４に示すように、切り込み１１の下縁１１ｂを上縁１１ａに対して裏面側に位置するように、指で切り込み１１をわずかに変形し、閉封部９を表面部３の裏面側に折り込んで、閉封部９の先端部９ｂの左右側を、左右の側部５の切り込み１１に差し込むようにして、封入空間Ｓ内に挿入する。これにより、封筒１は、図２に示す仮留め状態になる。
尚、本留めをする場合には、閉封部９を下側閉部７の上端部７ｃの裏面側に重ねて、封入部９を接着剤や糊付きテープ等により固着する。
【００１６】
第１実施の形態によれば、図１に示すように、左右の側部５に形成した切り込み１１は、下側閉部７の上端部７ｃで覆っているので、閉封部９で封をする前及び、図２に示すように、仮留め時及び本留め時に切り込み１１が外から見えないので、外観が良い。
図１〜図３に示すように、切り込み１１は、左右の側部５の各対向縁５ａに形成しており、従来技術のように切り込み１１が裏面部（従来技術）や下側閉部７の左右に連続していないので、切り込み１１を挟んだ上側又は下側に外力が作用した場合に、切り込み１１の上側と下側とが独立して容易に変形できるから、切り込み端１１ｃに外力が集中するのを防止できる。即ち、従来技術では、切り込み１１は左右に連続して左右側に切り込み端を有しているので、切り込みの上側又は下側に外力が作用すると切り込みの周囲部分が変形し難いから切り込み端に外力が集中して裂け易かった。
【００１７】
切り込み１１をＶ字形状としているので、上縁１１ａと下縁１１ｂを互い違いにして閉封部９の挿入口を広く取ることができ、閉封部９を切り込み１１に挿入し易い。
閉封部９は、左右縁９ａが各々凹状の曲線を成して左右の巾寸法を先端側ほど小さくしてあり且つ先端部９ｂの巾寸法は左右の切り込み端１１ｃ間の寸法と以下にしてあるので、閉封部９の先端部９ｂを左右の切り込み１１に容易に挿入できる。
図２に示すように、下側閉部７の左右縁７ａの輪郭を形成する円弧Ｒと、閉封部９の左右縁９ａの輪郭を形成する円弧Ｒは、下側閉部７と閉封部９とを重ねて仮留め及び本留めしたときに、連続した円弧となるので、外観がよい。
【００１８】
以下に本発明の他の実施の形態を説明するが、以下に説明する実施の形態では、上述した第１実施の形態と同一の作用効果を奏する部分には同一の符号を付し、第１実施の形態と主に異なる点を説明する。
図５に本発明の第２実施の形態を示す。この第２実施の形態では、切り込み１１の形状を直線状にしてあることが、第１実施の形態と異なっている。この第２実施の形態によれば、切り込み１１をＶ字形状の切り込みとした効果を除いて、第１実施の形態と同様の作用効果を奏することができる。更に、切り込み１１が一線で形成できるので、切り込み１１の形成が容易にできる。
【００１９】
本発明は、前述した実施形態に限定されることなく、その要旨を逸脱しない範囲で種々変形可能である。
例えば、封筒１は、カマス型に限らず、左右の側部５と下側閉部７と閉封部９とを各々略三角形状にしたいわゆるダイヤモンド型の封筒であっても良い。
第２実施の形態にかかる封筒１の切り込み１１は、一直線に限らず、曲線であっても良い。
【符号の説明】
【００２０】
１    封筒
３    表面部
５    側部
５ａ  対向縁
７    下側閉部
７ｂ  上端部
９    閉封部
９ｂ  先端部
１１  切り込み
１１ｃ  切り込み端
Ｓ    封入空間
Ｋ    封入口
Ｆ    糊代領域
【図１】
2016043935.tif 000003
【図２】
2016043935.tif 000004
【図３】
2016043935.tif 000005
【図４】
2016043935.tif 000006
【図５】
2016043935.tif 000007